(57)【要約】【課題】  高度な遮音性能を有する防音フェンスを可及的安価に提供する。【解決手段】  建物用に供給されている規格サイディング２１を，長さ詰めして２ｍ程度の長さとし，規格幅のサイディング２１と必要に応じて幅詰めしたサイディング２１を上下に積上げ配置するとともにサイディング２１の裏面間に所定間隔の縦桟３３を介して該サイディング２１を前後に重合配置し，これに外枠３を付してサイディングパネル２として，支柱１の上下に複数配置して防音フェンスＡとする。発泡樹脂２４を発泡充填したサイディング２１が前後に重合することによって，騒音を２０〜２５ｄＢ程度減少する高度な遮音性能を有する一方，規格のサイディング２１を使用することによって安価に供給でき，また必要に応じて容易に切断できるから現場施工に適したものとすることができる。【選択図】  図３
2008069515.tif 000002
【特許請求の範囲】
【請求項１】
所定間隔配置の支柱と該支柱に支持した防音壁とを備え，該防音壁を，建物壁面用規格のサイディングをそのまま又はこれを幅方向及び／又は長手方向に寸法調整を施して用い，その上下隣接相互間で幅方向端部の嵌合突条と嵌合凹条とを嵌合して積上げ配置するとともに前後背合せ状に重合配置した上下積上げ前後重合サイディングによって形成してなることを特徴とする防音フェンス。
【請求項２】
上記上下積上げ前後重合配置のサイディング間に，該サイディング長手方向に直交して所定間隔複数の縦桟を介設してなることを特徴とする請求項１に記載の防音フェンス。
【請求項３】
上記上下積上げ前後重合配置のサイディングを，外枠によって一体に囲繞したサイディングパネルとして上記支柱に支持してなることを特徴とする請求項１に記載の防音フェンス。
【請求項４】
上記支柱に支持したサイディングパネルを，上下に複数配置してなることを特徴とする請求項３に記載の防音フェンス。
【発明の詳細な説明】
【技術分野】
【０００１】
本発明は，例えば工場周り，小売店舗の駐車場等の屋外に設置することによって騒音透過を防止するように使用する防音フェンスに関する。
【背景技術】
【０００２】
この種防音フェンスとして，所定間隔配置の支柱と該支柱に支持した防音壁とを備えたものが提案されており，これによればその防音壁を，合成樹脂基板と該基板表裏の金属板とによって中空部を形成する前後の表面板と，該前後の表面板間の中空部を上下及び左右で区画する外枠及び該中空部内を上下複数のグラスウール収納室に区画する前後屈曲板と，各グラスウール収納室に充填したグラスウールとを備えたパネルによって形成したものとされ，上記支柱に該パネルを上下に複数配置してフェンスを構成するものとされる。
【０００３】
【特許文献１】特開２００４−３０８１７８号公報
【発明の開示】
【発明が解決しようとする課題】
【０００４】
この種グラスウールを用いた上記防音壁は，例えば８０ｄＢ程度の騒音を１４ｄＢ程度減少し得るものとなり，相当程度の遮音性能を確保することが可能となるが，自動車の通行音は７０ｄＢ，自動車のクラクションは１１０ｄＢ，道路工事の騒音は１２０ｄＢであり，設置場所を考慮すると常に好ましい遮音性能を発揮するものとはいい難いこと，上記防音フェンスの防音壁は，該フェンス用に専用に製造する必要があるから，その製造コストがアップすることによって高価なものとなり易く，またグラスウールが飛散することによって寸法調整のための切断が困難であるために，防音フェンスとして多種の規格を設定する必要があり，更に高価のものとなり易いこと，グラスウールを内部に充填したものとされるから，結露や結露水の凍結が生じるのを避けられず，劣化によって防音フェンスとしての耐久性に影響を及ぼす可能性があること等の問題点が残されている。
【０００５】
本発明はかかる事情に鑑みてなされたもので，その解決課題とするところは，可及的高度な遮音性能を発揮し得るとともに可及的安価に供給できるようにした防音フェンスを提供するにある。
【課題を解決するための手段】
【０００６】
上記課題に沿って，本発明は住宅等の外装に使用されている建物壁面用規格のサイディングが量産されることによって比較的低コストに入手できること，該サイディングは，金属表面板と裏面シート間に硬質発泡ポリウレタン等，独立気泡の発泡樹脂を発泡充填したものとされることによって騒音を大幅に減少して，極めて高度な遮音性能を呈すること，サイディングの規格は，例えばその幅を４０ｃｍ，長さを３〜４ｍ程度としたものとされるところ，該サイディングをそのまま使用することも，必要に応じて幅方向又は長手方向に切断することによって設定規格の製造や防音フェンスの現場施工における寸法調整を容易になし得ること，該サイディングは，住宅等の外装に使用されているとおり，上記表面板の色調やデザインも配慮されており，表面板と独立気泡の発泡樹脂が接着されていることによって内部に結露や結露水の凍結の可能性もなく，耐久性に富んだものであること等の事実に着目して，該規格のサイディングを用いて防音壁を構成するとともに該サイディングが有する幅方向上下の嵌合突条と嵌合凹条とを嵌合することによって上下に積上げ配置する一方，該サイディングを前後背合せ状に重合配置して，サイディングが裏面に有する裏面シートが露出するのを防止し前後両面をサイディングの表面とするとともに該前後の重合配置によって防音フェンスとしての遮音性能を高度化して，防音フェンスとして優れた遮音性能，外観並びに耐久性を確保し得るようにしたものであって，即ち請求項１に記載の発明を，所定間隔配置の支柱と該支柱に支持した防音壁とを備え，該防音壁を，建物壁面用規格のサイディングをそのまま又はこれを幅方向及び／又は長手方向に寸法調整を施して用い，その上下隣接相互間で幅方向端部の嵌合突条と嵌合凹条とを嵌合して積上げ配置するとともに前後背合せ状に重合配置した上下積上げ前後重合サイディングによって形成してなることを特徴とする防音フェンスとしたものである。
【０００７】
請求項２に記載の発明は，上記に加えて，サイディングを上下積上げ前後重合配置することによって，防音フェンスに風圧等の外力を受けてその幅方向に撓みが発生したりする可能性を解消して，該防音フェンスとして幅方向の強度を確保し得るように，これを，上記上下積上げ前後重合配置のサイディング間に，該サイディング長手方向に直交して所定間隔複数の縦桟を介設してなることを特徴とする請求項１に記載の防音フェンスとしたものである。
【０００８】
請求項３に記載の発明は，同じく上記に加えて，上下積上げ前後重合配置のサイディングを外枠で囲繞してサイディングパネルとして支柱に支持することによって，現場施工の場合を含めて，フェンス設置工事の作業性を可及的高度に確保したものとするように，これを，上記上下積上げ前後重合配置のサイディングを，外枠によって一体に囲繞したサイディングパネルとして上記支柱に支持してなることを特徴とする請求項１に記載の防音フェンスとしたものである。
【０００９】
請求項４に記載の発明は，同じく上記に加えて，上記サイディングパネルを上下に複数使用して防音フェンスを構成するようにして，該サイディングパネルの搬送やフェンス設置工事の作業に適したものとするように，これを，上記支柱に支持したサイディングパネルを，上下に複数配置してなることを特徴とする請求項３に記載の防音フェンスとしたものである。
【００１０】
本発明はこれらをそれぞれ発明の要旨として上記課題解決の手段としたものである。
【発明の効果】
【００１１】
本発明は以上のとおりに構成したから，請求項１に記載の発明は，比較的低コストに入手でき，結露や結露水の凍結の可能性もない建物壁面用規格のサイディングを用いて，これをそのまま或いは必要に応じて幅方向又は長手方向に切断することにより，設定規格の製造や防音フェンスの現場施工における容易な寸法調整を可能とするとともにその金属表面板と裏面シート間に発泡充填した硬質発泡ポリウレタン等，独立気泡の発泡樹脂によって極めて高度な遮音性能を呈する該サイディングを，その幅方向上下の嵌合突条と嵌合凹条を嵌合して上下に積上げ配置するとともに前後背合せ状に重合配置することによって，遮音性能を更に高度化するとともにサイディングが裏面に有する裏面シートが露出するのを防止して前後両面をサイディングの表面として，優れた遮音性能，外観及び耐久性を確保した防音フェンスを提供することができる。
【００１２】
請求項２に記載の発明は，上記に加えて，サイディングを上下積上げ前後重合配置することによって，防音フェンスに風圧等の外力を受けてその幅方向に撓みが発生したりする可能性を解消して，該防音フェンスとして幅方向の強度を確保したものとすることができる。
【００１３】
請求項３に記載の発明は，同じく上記に加えて，上下積上げ前後重合配置のサイディングを外枠で囲繞してサイディングパネルとして支柱に支持することによって，現場施工の場合を含めて，フェンス設置工事の作業性を可及的高度に確保したものとすることができる。
【００１４】
請求項４に記載の発明は，同じく上記に加えて，上記サイディングパネルを上下に複数使用して防音フェンスを構成するようにして，該サイディングパネルの搬送やフェンス設置工事の作業に適したものとすることができる。
【発明を実施するための最良の形態】
【００１５】
以下図面の例に従って本発明を更に具体的に説明すれば，Ａは防音フェンスであり，該防音フェンスＡは，所定間隔配置の支柱１と該支柱１に支持した防音壁とを備え，該防音壁を，建物壁面用規格のサイディング２１をそのまま又はこれを幅方向及び／又は長手方向に寸法調整を施して用い，その上下隣接相互間で幅方向端部の嵌合突条２５と嵌合凹条２６とを嵌合して積上げ配置するとともに前後背合せ状に重合配置した上下積上げ前後重合サイディング２１によって形成してあり，本例にあって該上下積上げ前後重合配置のサイディング２１は，これを，外枠３によって一体に囲繞したサイディングパネル２として上記支柱１に支持したものとしてある。
【００１６】
サイディング２１は，建物壁面用として使用するようにサイディングメーカーが規格化して製造販売しているものを使用してあり，本例にあって該サイディング２１は，例えば天然石調，天然木調等のプリント模様を付し又は単色に塗装して表面に配置した表面板２２と，裏面に配置した，例えば樹脂の裏面シート２３と，該裏面シート２３間にポリウレタン等，独立気泡の発泡樹脂２４を，例えば高倍率の３０倍程度に発泡充填することによって一体化し，幅方向両端に嵌合突条２５と嵌合凹条２６をそれぞれ備えて，標準的な規格による幅を４０ｃｍ，長さを３乃至４ｍに設定された，いわゆる金属サイディングを用いたものとしてあり，本例のサイディング２１は，長手方向に１／２に切断して２ｍ程度の長さに寸法調整を施し，幅をそのままとした長さ詰めのサイディング２１と，更に幅方向に１／２に切断して２０ｃｍ程度の幅に寸法調整した上記２ｍ程度にして幅詰めのサイディング２１との，２種類の異幅としたものを用いてある。
【００１７】
本例にあってサイディングパネル２は，上記長さに寸法調整を施して幅をそのままとした長さ詰めのサイディング２１を上下に複数，例えば２枚積上げ配置し，その上位に更に幅に寸法調整を施した幅詰めのサイディング２１を１枚積上げ配置することによって，例えば高さを１ｍ程度，幅を２ｍ程度としたものとしてあり，該サイディング２１の積上げ配置は，各サイディング２１の幅方向両端に具備した嵌合突条２５と嵌合凹条２６とを上下位相互間で嵌合し，また上記幅詰めのサイディング２１にあっては端部に残存した一方の，例えば嵌合凹条２６を下位のサイディング２１上端に位置する嵌合突条２５に嵌合して，これを行ってあり，該積上げ配置したサイディング２１は，これを更に前後に重合配置して上下積上げ前後重合の形態として，上記外枠３によって囲繞して一体のサイディングパネル２としてあり，本例にあって該サイディングパネル２は，その上下積上げ前後重合のサイディング２１間に，該サイディング２１長手方向に直交して所定間隔複数の縦桟を介設したものとしてある。
【００１８】
外枠３は，例えばアルミ押出材の上下横枠３１と左右縦枠３２によって形成し，左右縦枠３２により，本例にあって上記縦桟３３を介設したサイディングパネル２の幅方向端部，即ちサイディング２１の長手方向端部を抱持状に支持するとともに該サイディングパネル２の上下端に，該左右縦枠３２と枠組みした上下横枠３１を配置してその囲繞を行ってある。
【００１９】
即ち本例の上下横枠３１は，前後重合のサイディング２１と上記縦桟３３の合計幅に応じたフラットなプレート状にしてその片面に一対の脚条を有し且つ該一対の脚条間の長手方向両端部とその間の所定間隔にネジ止め用の透孔を備えたものとし，左右縦枠３２は，同じく前後重合のサイディング２１と上記縦桟３３の合計幅に応じた受溝を備えて断面コ字状にしてその上記受溝底部にタッピングホールを備えたものとし，またこれら上下横枠３１と左右縦枠３２とともに用いた上記縦桟３３は，同じくアルミ押出材の断面方形乃至矩形にして中央位置にタッピングホールを備えたものとしてある。
【００２０】
外枠３によるサイディングパネル２の囲繞は，左右縦枠３２の受溝に幅方向両端，即ち縦桟３３を裏面に挟んだサイディング２１の長手方向両端をそれぞれ嵌合し，上下横枠３１の長手方向端部の上記透孔から縦枠のタッピングホールにタッピングネジを螺入してネジ固定して，これら上下横枠３１と左右縦枠３２を枠組みすることによって行うとともに，本例にあって上下横枠３１の長手方向端部間の透孔からそれぞれ縦桟３３のタッピングホールにタッピングネジを螺入し，該縦桟３３を縦枠３２と同様に上下横枠３１にネジ固定して，該縦桟３３をサイディングパネル２の幅方向端部と中間部に多数配置，例えば５０ｃｍ程度の等間隔に多数，例えば５本配置してあり，これによってサイディング２１が長尺であることによって，例えば風圧や人の寄り掛り等の外力を受けて生じる可能性のある撓みを防止し，サイディングパネル２としてその幅方向の強度を確保するようにしてある。
【００２１】
このように形成したサイディングパネル２は，これを，支柱１の上下に複数配置したものとしてあり，本例にあって該サイディングパネル２の支柱１に対する複数配置は，例えば支柱１に固定したブラケット，取付枠等を介してサイディングパネル２を支柱１に間接支持し又は上記上下横枠３１に支柱１への固定部位を設置し，該固定部位を支柱１に固定してサイディングパネル２を支柱１に直接支持することによって行うものとしてあり，本例にあって該支柱１への支持は，これを取付枠４を介して行ってあり，即ち取付枠４は，支柱１に固定する支柱固定部材４１と，サイディングパネル２を支持して該支柱固定部材４１に固定支持するパネル支持部材４３の２部材構成とし，上記支柱固定部材４１を，支柱１の背面側から挿入したボルト４４によって支柱側に引寄せ固定した引寄せブロック４５に，上記支柱固定部材４１の支柱側引掛係合部を，支柱１の正面側で該支柱１との間で挟持するように引掛支持するとともにその下位の支柱対接片を支柱背面側の透孔からのネジによって支柱１にネジ固定する一方，上記パネル支持部材４３のコ字状溝にサイディングパネル２をその上下横枠３１とともに受入れることによって該パネル支持部材４３によってサイディングパネル２の上下端を被嵌し，これを支柱１長手方向上位において該パネル支持部材４３を支柱固定部材４１に突き当て配置し，また支柱１長手方向下位において該パネル支持部材４３を支柱固定部材４１に載置配置して，上下の支柱固定部材４１に対してサイディングパネル２を支持したパネル支持部材４３を対接し，パネル支持部材４３及び支柱固定部材４１の各正面側に上下方向に突出して重合した固定突片４６を相互にネジ固定することによって，支柱１に対する該取付枠４を介したサイディングパネル２の支持を行ったものとしてある。
【００２２】
図中４２は，パネル支持部材４３の底面又は上面に対接することによってパネル支持部材４３を支柱固定部材４１に安定支持するようにした支柱固定部材４１の支持突片を示す。
【００２３】
上記防音フェンスＡの高さを１．５ｍ及び２ｍとし，その一方正面から１ｍ離れた位置に０．１ｍ及び１．２ｍ高さの音源スピーカーを配置し，ランダムノイズを出力して，それぞれ他方正面から２ｍ離れた位置の地表から１．２ｍ高さの騒音測定を行い，また対比のために防音フェンスを設置することなく同様に騒音測定を行った結果（単位ｄＢ）を，その各暗騒音（単位ｄＢ）とともに表１に示す。
【００２４】
【表１】
2008069515.tif 000003
【００２５】
防音フェンスＡの高さ１．５のとき，音源高さ０．１ｍで７３．３ｄＢ（暗騒音４１．６ｄＢ），音源高さ１．２で７０．９ｄＢ（暗騒音４３．２ｄＢ）であり，防音フェンスの設置がないときに音源高さ０．１ｍで９３．６ｄＢ（暗騒音４３．７ｄＢ），音源高さ１．２ｍで９３．９ｄＢ（暗騒音４１．８ｄＢ）に対して，騒音が２０．３〜２３．０ｄＢ減少した。また同じく防音フェンス高さ２ｍのとき，音源高さ０．１ｍで７０．６ｄＢ（暗騒音４３．５ｄＢ），音源高さ１．２で６８．５ｄＢ（暗騒音４２．５ｄＢ）であり，同じく防音フェンスの設置がないときに対して２３．０〜２５．４ｄＢ減少した。
【００２６】
従って本例の防音フェンスＡは，グラスウールを用いた防音フェンスが１０．３ｄＢの騒音減少をなし得るとされるに対して，独立気泡の発泡樹脂２４を発泡充填した建物壁面用規格のサイディング２１を上下積上げ前後重合配置した形態とすることによって２０〜２５ｄＢ程度の高度な遮音性能を呈するとともに比較的低コストにして安価に供給し得て，設定規格の製造や防音フェンスＡの現場施工における寸法調整を容易になし得るとともに内部に結露や結露水の凍結の可能性がなく，優れた遮音性能とともに外観並びに耐久性を確保したものとすることができる。
【００２７】
図示した例は以上のとおりとしたが，防音フェンスを工場生産の規格品とすること，建物壁面用規格のサイディングをそのまま使用して，例えば高さを４０ｃｍの倍数とし，長さを３〜４ｍのものとして，例えば工場周り用等のものとすること，サイディングを個別に支柱の片側又は両側に上下積上げ前後重合の形態に固定すること，縦桟に代えて，上記上下積上げ前後重合配置のサイディング間にパネルを介設してその長手方向の強度の確保を図ること等を含めて，本発明の実施に当って，支柱，上下積上げ前後重合サイディングによる防音壁，必要に応じて使用する縦桟，外枠，サイディングパネル等の各具体的構造，形状，材質，これらの関係，これらに対する付加等は，上記発明の要旨に反しない限り様々の形態のものとすることができる。
【図面の簡単な説明】
【００２８】
【図１】防音壁の正面図である。
【図２】防音壁の平面図である。
【図３】防音壁と支柱との関係を示す縦断面図である。
【符号の説明】
【００２９】
Ａ  防音フェンス
１  支柱
２  サイディングパネル
２１  サイディング
２２  表面板
２３  裏面シート
２４  発泡樹脂
２５  嵌合突条
２６  嵌合凹条
３  外枠
３１  横枠
３２  縦枠
３３  縦桟
４  取付枠
４１  支柱固定部材
４２  支持突片
４３  パネル支持部材
４４  ボルト
４５  引寄せブロック
４６  固定突片
【図１】
2008069515.tif 000004
【図２】
2008069515.tif 000005
【図３】
2008069515.tif 000006